(57)【特許請求の範囲】
【請求項１】
ＩＣカードのカード情報を受信し、該カード情報に基づいて被制御機器へと複数の制御指令を送信する、ＩＣカード認証システム用の制御装置であって、
ＩＣカードの一回の提示動作において送信される前記複数の制御指令は、
ＩＣカードの提示時間が所定時間を経過したときに送信する、時間経過式制御指令と、
ＩＣカードの提示動作が所定期間内に終了したときに送信する、提示終了式制御指令と、
の組合せからなることを特徴とする、
ＩＣカード認証システム用の制御装置。
【請求項２】
前記被制御機器の状態を検出し、該状態に基づいて前記複数の制御指令の内容及び送信時期のうち少なくとも何れかを変更することを特徴とする、請求項１に記載のＩＣカード認証システム用の制御装置。
【請求項３】
前記ＩＣカードから得られる識別番号に基づいて、前記複数の制御指令の内容および送信時期のうち少なくとも何れかを変更することを特徴とする、請求項１または２に記載のＩＣカード認証システム用の制御装置。
【発明の詳細な説明】
【技術分野】
【０００１】
本発明はＩＣカード認証システム用の制御装置に関し、より詳しくは、ＩＣカードの種類や提示時間によって、被制御機器に対して異なる制御指令を多段的に実行可能な認証システムにおいて用いる制御装置に関する。
【背景技術】
【０００２】
近年、ＩＣチップを埋め込んだＩＣカードは、商店や交通機関での決済手段や入退室管理などのセキュリティ手段など、多数の用途で使用されている。
【０００３】
ＩＣカードを用いた電子錠システムとして、出願人は以下の特許文献１に記載の発明を着想した。
特許文献１に記載の発明は、ＩＣカードの提示パターン（提示時間・提示回数）に基づき、施錠及び解錠の実行の他、施錠及び解錠以外の命令を実行する発明である。施錠及び解錠以外の命令には、警備システムの起動及び解除等がある。
例えば、提示パターンが提示時間の場合、ＩＣカードの提示時間が１秒以下であれば、扉の施錠を行い、ＩＣカードの提示時間が３秒以上であれば、警備システムの起動を行うよう設定することができる。
また、提示パターンが提示回数の場合、ＩＣカードの提示回数が１回であれば、扉の施錠を行い、ＩＣカードの提示回数が２回であれば、警備システムの起動を行うよう設定することができる。
特許文献１に記載の発明によれば、一枚のＩＣカードのかざし方を換えることによって、扉や警備システムなどの被制御機器に対して、異なる命令を実行することができる点で有益であった。
【先行技術文献】
【特許文献】
【０００４】
【特許文献１】特開２００５−３３６７３３号公報
【発明の概要】
【発明が解決しようとする課題】
【０００５】
一方、前記特許文献１に記載の発明は、ＩＣカードの１回の認証動作に対し、被制御機器への制御指令を１回実行することを前提としていた。
したがって、被制御機器に対して複数の制御指令を実行するには、ＩＣカードの認証動作を再度やり直す必要があった。
例えば、ＩＣカードの提示パターンが提示時間の場合、扉の施錠と警備システムの起動の両方を行うには、まず一度ＩＣカードを１秒以下提示して扉の施錠を行い、それから再度ＩＣカードを３秒以上提示して警備システムを起動する必要があった。
同様に、提示パターンが提示回数の場合にも、ＩＣカードをかざし直して順に処理を行う必要があった。
【０００６】
すなわち、特許文献１に記載の発明は、何れの提示パターンであっても、ユーザが複数の命令を実行するには、ＩＣカードをかざす回数が少なくともその命令数と同等かそれ以上となってしまうため、ユーザにとって煩わしい部分があった。
特にユーザが子供や老人、或いは身体の不自由な方の場合には、複数のかざし動作が上手くできず、却って混乱を招いたり疲労をもたらす恐れがあった。
【０００７】
従って、本発明は、従来技術よりもユーザフレンドリーに優れた装置の提供を目的とするものである。
【課題を解決するための手段】
【０００８】
上記の課題を解決する為になされた本願発明は、ＩＣカードのカード情報を受信し、該カード情報に基づいて被制御機器へと複数の制御指令を送信する、ＩＣカード認証システム用の制御装置であって、ＩＣカードの一回の提示動作において送信される前記複数の制御指令は、ＩＣカードの提示時間が所定時間を経過したときに送信する、時間経過式制御指令と、ＩＣカードの提示動作が所定期間内に終了したときに送信する、提示終了式制御指令と、の組合せからなることを特徴とするものである。
また、本願発明は、前記発明において、前記被制御機器の状態を検出し、該状態に基づいて前記制御指令の内容及び送信時期のうち少なくとも何れかを変更することを特徴とするものである。
また、本願発明は、前記発明において、前記ＩＣカードから得られる識別番号に基づいて、前記複数の制御指令の内容および送信時期のうち少なくとも何れかを変更することを特徴とするものである。
【発明の効果】
【０００９】
本発明によれば、以下に記載する効果のうち、少なくとも何れか一つを奏する。
（１）認証作業の簡便化
カードリーダに対し、ＩＣカードの提示動作を１回行うのみで良く、あとは提示時間の長短でもって、制御指令の実行数を調整することができる。
ＩＣカードの提示動作が複雑とならないため、ユーザが子供や、老人、身体の不自由な方であっても、認証作業が容易に行え、利便性が高い。
（２）多分野への応用可能性
ユーザ毎に最適な認証権限を設定することで、様々のユーザに合わせた、多機能な認証システムを実現することができる。
【図面の簡単な説明】
【００１０】
【図１】本発明の制御装置を含むＩＣカード認証システムの概略構成図。
【発明を実施するための形態】
【００１１】
＜１＞概要
図１は、本発明の制御装置を含むＩＣカード認証システムの概略構成図である。
ＩＣカード認証システムＡは、本発明の制御装置３のほか、ＩＣカード１と、カードリーダ２と、被制御機器３と、を少なくとも備える。
【００１２】
＜２＞ＩＣカード
ＩＣカード１は、ＩＣチップを備えた公知のカードであり、ＩＣチップに記憶されたカード情報をカードリーダで読み取り可能に構成する。
前記カード情報には、ユーザの認証タイプを把握するための識別番号が少なくとも記憶されている。
ＩＣカード１は、本システムを利用する各ユーザが個別に所持する。
【００１３】
＜３＞カードリーダ
カードリーダ２は、ＩＣカード１の識別番号と認証信号を制御装置３へと送信する機能を備えた装置である。
前記認証信号とは、現時点においてＩＣカードがカードリーダに提示されているか否かを示す信号である。
より詳細には、カードリーダ２が非接触式の場合、ＩＣカード１がカードリーダ２から発する磁界内に存在し続けている間、カードリーダ２は認証信号を制御装置に送信することとなる。
【００１４】
＜４＞制御装置
制御装置３は、少なくとも１台以上の被制御機器４に対して、制御指令を実行する為の装置である。
制御装置３は、ＣＰＵ、メモリ等を備えた情報処理装置である。
制御装置３は、カードリーダ２を介して取得したＩＣカード１の識別番号及び認証信号に基づいて、被制御機器４に対して各制御指令を実行する機能を有する。
以下、制御装置３を構成する各手段について説明する。
【００１５】
（１）記憶手段
記憶手段３１は、ＩＣカード１の識別番号毎に所定の処理情報を記憶しておくための手段である。
処理情報とは、制御指令と設定期間とを少なくとも含む。
制御指令とは、被制御機器の動作を設定する情報である。
設定期間とは、ある制御指令を実行するまでに要する、カードリーダへのＩＣカードの提示時間を示す情報である。
【００１６】
[制御指令]
制御指令の内容は、適宜設計することができる。
例えば、制御指令は、単に被制御機器４の動作を特定する直接的な指令とすることができる。
また、制御指令は、予め被制御機器４の状態を把握した上で被制御機器４の動作を特定する指令としてもよい。
また、制御指令は、該制御指令を受信する被制御機器４において、該被制御機器４の状態に応じて動作を可変とした間接的な指令としてもよい。
なお、本例では、制御装置３側で被制御機器４の状態を把握した上で被制御機器４の動作を特定する指令を実行するものとする。
【００１７】
[設定期間]
設定期間の値は、適宜設定・変更可能であり、１秒、２秒など特定の値としてもよいし、２秒〜４秒など範囲を持たせた値としてもよい。
なお、本発明は、各制御指令毎に設定期間を同じ値としても良いし、異なる値としてもよい。
【００１８】
[記憶手段の構築例]
記憶手段３１のデータベースの構築方法は、各種の方法を採用することができる。
例えば、ＩＣカード１の識別番号に対して、被制御機器４への命令毎に設定期間を設定しておいてもよいし、設定期間毎に被制御機器４への命令を設定しておく構成としてもよい。
【００１９】
これらの各制御指令における設定期間の設定は、各被制御機器４間の関係や、制御指令の属性等を考慮し、制御指令の実行順に矛盾や不備がないように、制御装置３及び各被制御機器４を適宜設計すればよい。
【００２０】
（２）判定手段
判定手段３２は、ＩＣカード１の提示時間に応じて、被制御機器４への制御指令を実行する為の手段である。
始めに、判定手段３２は、カードリーダ２がＩＣカード１を最初に認識した際に、カードリーダ２から取得したＩＣカードの識別番号に基づいて記憶手段３１から前記処理情報を取得する。
次に、判定手段３２は、カードリーダ２からＩＣカード１の認証情報を受信する間、ＩＣカード１の提示時間を計測し続ける。
認証情報はＩＣカード１が提示され続けている間、制御装置３に送信される。
そして、判定手段３２は、前記ＩＣカード１の提示時間と前記設定期間とを比較して、ＩＣカード１の提示時間が設定期間に達した場合に、前記設定期間に紐付いた制御指令を前記被制御機器４に対して実行する。
【００２１】
（３）その他
制御装置３には、図示しない公知の音響手段や発光手段を組み合わせて、制御指令の実行の度に異なる音や発光を行うことにより、実行した制御指令をユーザに認識させるよう構成しておくこともできる。
【００２２】
＜５＞被制御機器
被制御機器４（４ａ，４ｂ，４ｃ・・・）は、制御装置３からの制御指令を受けて各処理を実行する装置である。
被制御機器４には、電子錠や警備システムなどのほか、家電、電子機器、床暖房、空調、照明、駐車場、宅配ボックス、エレベータ、工作機械など電子制御可能なあらゆる装置が含まれる。
【００２３】
＜６＞その他の構成例
前記した構成では、カードリーダ２と制御装置３を別体の構成としているが、本発明は、カードリーダ２と制御装置３を一体化して一つの制御装置３としても良い。
この場合、カードリーダ２側に、前記記憶手段３１及び判定手段３２を組み込んでも良いし、制御装置３側にカードリーダ機能を組み込んでも良い。
【００２４】
＜７＞使用方法
次に、前記ＩＣカード認証システムの使用方法の一例について説明する。
【００２５】
（１）前提
本実施例では、異なる認証態様を有する５種類のユーザを有し、各ユーザは、各認証態様に即したＩＣカードを所有している。
記憶手段には、各ユーザの認証態様を示すテーブルとして、以下の表１に記載のテーブルが記憶されている。
[表１]
0006017770.tif 000002
【００２６】
（２）甲の認証方法
甲は、処理ａ及びｂの実行権限を有するユーザである。
甲が所有するＩＣカード１をカードリーダ２に提示すると、制御装置３は前記表１のテーブルを参照してＩＣカード１の識別番号に対応する制御指令と設定期間を読み込む。また、制御装置３は、カードリーダ２からの認証信号を用いてＩＣカードの提示時間を計測し始める。
ＩＣカード１の提示時間が１秒経過した時点で、制御装置３は、被制御機器４に対して、処理ａの命令を実行する。
その後、ＩＣカード１がカードリーダ２に提示し続けている状態を維持している場合、制御装置３は引き続き提示時間を計測し続ける。
次に、提示時間が５秒を経過した時点で、制御装置３は被制御機器４に対して、処理ｂの命令を実行する。
処理ｂの命令の実行後は、ＩＣカード１を提示しつづけていたとしても制御装置３はその他の命令の実行を行わない。
【００２７】
このようにして、ＩＣカード１の提示動作が１回でありながら、提示時間の長短で複数の制御命令を多段的に実行することができる。
なお、ＩＣカード１の提示時間が１秒以上５秒未満の時は、１秒経過時に処理ａの命令を実行するに留まることとなる。
【００２８】
（３）乙の認証方法
乙は、処理ａ、ｂ及びｃの実行権限を有するユーザである。
ＩＣカード１の提示時間が１秒、５秒、１０秒経過時に、処理ａ、ｂ、ｃを順に実行する。
【００２９】
（４）丙の認証方法
丙は、処理ａのみの実行権限を有するユーザである。
ＩＣカード１の提示時間が１秒経過時に処理ａの命令を実行するに留まる。
【００３０】
（５）丁の認証方法
丁は、丙と同様、処理ａのみの実行権限を有するユーザである。
但し、丁は処理ａを実行するための設定期間が５秒である点が丙と異なる。
すなわち、同じ制御指令であってもユーザの属性に応じて設定期間を異なる値に設定することで、被制御機器４に対する多種多様な制御方法が期待でき、利便性の向上を図ることができる。
【００３１】
（６）戊の認証方法
戊は、処理ａ、ｂ、ｃ及びｄの実行権限を有するユーザである。
先の甲〜丁の認証方法と異なる点は、一部の制御指令について、ＩＣカード１の提示時間が所定の期間を経過した時に実行されるのではなく、所定の期間内で終了したときに実行される点である。
例えば、処理ｄは、ＩＣカード１の提示時間が１秒より大きく５秒未満であるときに実行される。この場合、制御装置３は、処理ｄをＩＣカード１がカードリーダ２の磁界から離れた時を待って実行することになる。
このように、被制御機器４への制御指令を実行する設定期間を、所定期間の経過時と、所定期間の範囲内との組合せとすることにより、より細かな設定が可能とし、多分野での活用が期待できる。
【実施例】
【００３２】
次に、本発明の電子認証システムＡを用いた各実施例について説明する。
なお、これらの実施例はあくまで参考例であり、本発明の内容や用途を制限するものではない。
【００３３】
＜１＞第１実施例
本発明の電子認証システムの第１実施例について説明する。
本実施例は、シルバーマンションに、本発明の電子認証システムＡを採用した場合の認証方法を示すものである。
【００３４】
（１）前提
本実施例では、異なる認証態様を有する２種類のユーザを有し、各ユーザは、各認証態様に即したＩＣカード１を所有している。
被制御機器４には、居室の電子錠と警備システムとが少なくとも含まれる。
入居者は、居室の施錠・解錠と、警備システムのＯＮ・ＯＦＦの権限を有するユーザである。
入居者家族は、入居者と同居していない家族であり、入居者の居室の施錠・解錠のみの権限を有するユーザである。
【００３５】
（ａ）解錠状態／警備ＯＦＦ状態時の動作
解錠状態／警備ＯＦＦ状態時の動作について、例えば以下のように設定することができる。
[表２]
0006017770.tif 000003
入居者のＩＣカード１を５秒以上提示した場合、１秒経過時に居室の施錠が行われ、５秒経過時に警備システムのＯＮが順番に実行される。
また、入居者が単に居室の施錠のみを行いたい場合には、ＩＣカード１を１秒より長く５秒未満の提示とすれば、１秒経過時に居室の施錠が行われるだけである。
このとき、入居者家族のＩＣカード１は、施錠の権限のみに留まり、ＩＣカードを５秒以上提示し続けても警備のＯＮを行うことはできない。
【００３６】
（ｂ）施錠状態／警備ＯＦＦ状態時の動作
施錠状態／警備ＯＦＦ状態時の動作について、例えば以下のように設定することができる。
[表３]
0006017770.tif 000004
居室の施錠がされた状態から、警備システムのＯＮを行いたい場合には、単にＩＣカードを５秒以上提示すればよい。
このとき、制御装置３は、まずＩＣカードの提示時間が１秒経過した時点で、ＩＣカード１の居室の施錠命令を重複実行するか、或いは居室の施錠状態を予め認識しておき、施錠命令の実行を省略する処理を行うこととなる。
また、本状態から、居室の解錠を行いたい場合には、単にＩＣカードを１秒以上５秒未満の提示とすればよい。
このとき、制御装置３は、例えば前記の通りＩＣカードの提示時間が１秒経過した時点で、まずはＩＣカードの居室の施錠命令を重複実行するか、或いは施錠命令の実行を省略する処理を行う。
そして、ＩＣカードの提示時間が５秒に達しなかった場合、制御装置３は、ユーザの意図する動作が居室の解錠であったと推定して、居室の解錠命令を実行すればよい。
このような処理とすれば、入居者側からは居室の解錠のみが実行されたようにみえることとなる。
【００３７】
（ｃ）施錠状態／警備ＯＮ状態時の動作
施錠状態／警備ＯＮ状態時の動作について、例えば以下のように設定することができる。
[表４]
0006017770.tif 000005
[表５]
0006017770.tif 000006
[表６]
0006017770.tif 000007
参考例１では、入居者のＩＣカード１を５秒以上提示した場合に限って、居室の解錠と警備のＯＦＦを行うようにしたものである。
参考例２では、入居者のＩＣカード１を１秒以上提示した場合に限って、居室の解錠と警備のＯＦＦを行うようにしたものである。
参考例３では、入居者のＩＣカード１を１秒以上提示した時に警備をＯＦＦし、続けて５秒以上提示した場合に、居室の解錠を行うようにしたものである。
何れの場合でも、入居者家族のＩＣカードは、警備に係る権限を有していない為、解錠動作を行うことはできない。これは警備ＯＮが、居室が施錠状態であることを前提とするからである。
【００３８】
上記の実施例は、ユーザの属性（入居者／入居者家族）に応じて、権限の割り振りや設定期間の設定を行っているが、その他、マンションの管理者や職員などをユーザに加えて、さらに権限の割り振りや提示時間の設定を行ってもよい。
また、同じ属性のユーザであっても、ユーザの年齢や環境等を考慮して、権限の割り振りや提示時間の設定を適宜調整してもよい。
【００３９】
以上説明したように、本発明は、ユーザの属性や環境に合わせて、被制御機器に対する権限と、該権限に係る制御命令の実行時期を可変に設定することで、利便性の高い認証システムを提供することができる。
【００４０】
＜２＞第２実施例
本発明の電子認証システムの第２実施例について説明する。
本実施例は、リゾートマンションに、本発明の電子認証システムを採用した場合の認証方法を示すものである。
被制御機器４には、居室の電子錠、床暖房装置及びエアコン、並びに警備システムとが少なくとも含まれる。
その他の前提条件は、前記第１実施例と同様であるため、説明を省略する。
【００４１】
本実施例は、主に、入居者の退出時において、被制御機器の動作を終了させることに着目した構成であり、例えば以下の様に設定することができる。
[表７]
0006017770.tif 000008
[表８]
0006017770.tif 000009
【００４２】
本実施例は、入居者や入居者家族に、退出時に限り、被制御機器の一部である床暖房やエアコンの動作を終了させる権限のみを設けたものである。
なお、入室時は、前記実施例１のように、解錠と警備ＯＦＦを同時に行っても良いし、警備ＯＦＦの後に、解錠を行うように設定してもよい。
【００４３】
本実施例によれば、退出時に警備システムをＯＮする前に、必ず床暖房とエアコンのＯＦＦの制御指令を実行することで、長期間の不在時に床暖房やエアコンによる無駄な電力消費の発生を予防することができる。
【００４４】
＜３＞第３実施例
本発明の電子認証システムの第３実施例について説明する。
本実施例は、シルバーマンションに、本発明の電子認証システムＡを採用した場合の認証方法を示すものである。
ユーザは、入居者、入居者家族、マンションのスタッフと、マンションの管理者との４種に分類される。
被制御機器４は、居室の電子錠、警備システム、チェーンロック（居室の内錠）が少なくとも含まれる。
【００４５】
本実施例は、主に、居室に滞在中の入居者の緊急時に、マンションのスタッフや管理者による居室への入室が妨げられないことに着目した構成であり、各ユーザの基本権限を、例えば以下の様に設定することができる。
[表９]
0006017770.tif 000010
【００４６】
本実施例によれば、チェーンロックの権限を、スタッフと管理者に与えることにより、入居者が居室に滞在した状態で居室内からチェーンロックを施錠している場合であっても、スタッフや管理者が当該チェーンロックを解錠して居室内へ入室することが可能であるから、入居者が急病を発症するなどの緊急時においても迅速な対応が可能となる。
【符号の説明】
【００４７】
Ａ    ＩＣカード認証システム
１    ＩＣカード
２    カードリーダ
３    制御装置
３１  記憶手段
３２  判定手段
４    被制御機器
【図１】
0006017770.tif 000011